(57)【特許請求の範囲】
【請求項１】
ディスクが載置されるトレイがケース内に引き出し自在に収納されているディスク収納マガジンにおいて、
前記ケース内には、ケース内へ挿入されたトレイに奥部方向への引込み力を与えるとともに引き込まれた前記トレイを保持する弾性保持部材が設けられ、
前記ケースと前記トレイの一方には、曲げ変形自在に延びる緩衝突起が、他方には、前記緩衝突起と当たる規制部が設けられて、前記トレイが引き込まれる際に、前記緩衝突起が前記規制部に当たって曲げ変形させられ、
前記弾性保持部材と前記緩衝突起とが、前記トレイに設置されるディスクの中心を通って前記トレイの引き込み方向に延びる中心線を挟んで、互いに異なる側に位置していることを特徴とするディスク収納マガジン。
【請求項２】
前記緩衝突起は、合成樹脂によって前記ケースまたはトレイと一体に形成されている請求項１記載のディスク収納マガジン。
【請求項３】
トレイがケース内に挿入されて、前記弾性保持部材から前記トレイに引き込み力が作用し始めた後に、前記緩衝突起による緩衝力が前記トレイに作用する請求項１または２記載のディスク収納マガジン。
【請求項４】
前記トレイには、外部から引き出し力が与えられる引出し部が設けられており、前記引出し部は、前記中心線よりも前記弾性保持部材と同じ側に位置している請求項１ないし３のいずれかに記載のディスク収納マガジン。
【発明の詳細な説明】
【０００１】
【発明の属する技術分野】
本発明は、ケース内にＣＤやＤＶＤなどのディスクが載置される複数のトレイが引き出し自在に設けられたディスク収納マガジンに関する。
【０００２】
【従来の技術】
図４はディスクチェンジャと称されるディスク装置に装填される従来のディスク収納マガジンの構造を示す平面図である。
【０００３】
図４に示すディスク収納マガジン１は、ケース２内に例えば６枚などの複数のトレイ３が引き出し自在に収納されており、それぞれのトレイ３上にディスクＤが載置される。このディスク収納マガジン１がディスク装置に装填されると、選択されたトレイ３がマガジン１から引き出され、トレイ３上に設置されたディスクＤがディスク装置内に設けられたターンテーブルにクランプされて回転駆動される。
【０００４】
前記トレイ３の奥側（Ｙ２方向）の端部には突部３ａが設けられ、ケース２内には、前記突部３ａと対向する弾性保持部材５が設けられている。前記弾性保持部材５は金属製の板ばねで形成されたものであり、ディスクＤの並び方向に間隔を開けて対向する弾性腕５ａ，５ａが設けられている。この弾性腕５ａ，５ａは、ケース２内の個々のトレイ３に個別に対応して設けられている。
【０００５】
前記トレイ３がケース２内の奥部まで挿入されると、前記突部３ａが弾性保持部材５の弾性腕５ａと弾性腕５ａとの間に介入し、弾性腕５ａと弾性腕５ａが押し広げられる。さらにトレイ３が押し込まれると、突部３ａの傾斜部３ｂ，３ｂに弾性腕５ａ，５ａが弾圧し、その弾圧力の分力により、トレイ３にケース２の奥方向への引き込み力が作用する。
【０００６】
これにより、トレイ３はケース２内に確実に引き込まれて、ケース２内から容易に脱落しないように保持されるものとなっている。
【０００７】
【発明が解決しようとする課題】
このように構成されたディスク収納マガジン１では、ディスク装置内で一度引き出されたトレイ３がケース２内に戻されるときに、前記弾性保持部材５の引き込み力によって、トレイ３が勢い良く引き込まれてケース２の内部に衝突する。このときの衝突音はディスク装置の外部まで伝わることがあり、トレイ３の選択が行われる度に、前記衝突音が発生することになって使用者に耳障りである。
【０００８】
そこで、図４に示すように、トレイ３にＶ字状に開く当接部３ｃを形成し、弾性保持部材５によってトレイ３が引き込まれるときに、Ｖ字状の前記当接部３ｃをケース２内の支柱４に当てることにより、前記衝突音を低下させることも考えれられている。しかし、前記の対策では、トレイ３が引き込まれるときに、当接部３ｃと支柱４とが当たるため、やはり衝突音が発生することになる。
【０００９】
また、前記支柱４の周囲にゴムやスポンジなどを巻くことによって前記衝突音はいくらか低下させることができるが、前記ゴムやスポンジを設ける分だけ部品点数が多くなる。
【００１０】
また、前記当接部３ｃと支柱４との位置関係を高精度に設定しておかないと、弾性保持部材５でトレイ３が完全に引き込まれて保持される前に、当接部３ｃと支柱４とが当たって、トレイ３が完全に引き込まれない状態で収納されることがある。また逆に、トレイ３が完全に引き込まれた時点で当接部３ｃと支柱４とが当たらず、衝突音の低減効果を充分に発揮できないこともある。
【００１１】
本発明は上記従来の課題を解決するためのものであり、トレイがケース内の付勢部材で引き込まれて保持されるディスク収納マガジンにおいて、トレイがケース内に引き込まれたときの衝突音を効果的に緩和できるディスク収納マガジンを提供することを目的としている。
【００１２】
【課題を解決するための手段】
本発明は、ディスクが載置されるトレイがケース内に引き出し自在に収納されているディスク収納マガジンにおいて、
前記ケース内には、ケース内へ挿入されたトレイに奥部方向への引込み力を与えるとともに引き込まれた前記トレイを保持する弾性保持部材が設けられ、
前記ケースと前記トレイの一方には、曲げ変形自在に延びる緩衝突起が、他方には、前記緩衝突起と当たる規制部が設けられて、前記トレイが引き込まれる際に、前記緩衝突起が前記規制部に当たって曲げ変形させられ、
前記弾性保持部材と前記緩衝突起とが、前記トレイに設置されるディスクの中心を通って前記トレイの引き込み方向に延びる中心線を挟んで、互いに異なる側に位置していることを特徴とするものである。
【００１３】
このディスク収納マガジンでは、弾性保持部材からトレイに引き込み力が与えられるときに、前記緩衝突起が曲げ変形させられて、トレイに対して突出方向への付勢力が作用する。したがって、トレイが引き込まれるときの衝突音を低減できる。前記緩衝突起は曲げ変形するものであるため、この緩衝突起の存在によってトレイの引き込みが完了できないような現象が生じなくなり、トレイが確実に引き込まれ、しかも緩衝突起によって衝突音の抑制を確実に行えるようになる。
また、本発明の構成では、ケース内において、トレイに対し、前記緩衝突起の反発方向によるモーメントが常に作用している。よって、ケース内においてトレイのがたつきを防止でき、車体振動などが作用したときにトレイのがたつき音の発生を防止しやすい。
【００１４】
例えば、前記緩衝突起は、合成樹脂によって前記ケースまたはトレイと一体に形成されていることが好ましい。
【００１５】
前記緩衝突起をケースやトレイと一体に形成することにより、部品点数を低減できる。
【００１６】
また、トレイがケース内に挿入されて、前記弾性保持部材から前記トレイに引き込み力が作用し始めた後に、前記緩衝突起による緩衝力が前記トレイに作用することが好ましい。
【００１７】
このように構成することにより、前記緩衝突起の反発力がトレイをケース内に戻すときの妨げにならない。
【００２０】
また、前記トレイには、外部から引き出し力が与えられる引出し部が設けられており、前記引出し部は、前記中心線Ｏ−Ｏよりも前記弾性保持部材と同じ側に位置しているものが好ましい。
【００２１】
このように構成すると、前記引出し部に作用する引き出し力によってトレイに与えられるモーメントを小さくでき、トレイを引き出しやすくなる。
【００２２】
【発明の実施の形態】
図１は本発明の実施の形態を示すディスク収納マガジンを底部側から見た断面図、図２は弾性保持部材と突部を示す一部拡大断面図、図３は緩衝突起と規制部材を示す一部拡大断面図である。
【００２３】
図１に示すディスク収納マガジン１１は、ＣＤやＤＶＤなどのディスクＤを選択して記録や再生するディスクチェンジ方式のディスク装置に装填される。このディスク収納マガジン１１は、ケース１２内に複数個のトレイＴが重ねられた状態で引き出し自在に収納されており、そのそれぞれのトレイＴにディスクＤが載置される。本実施の形態では、ディスクＤのＹ２側の大部分がトレイＴ上に載置されているが、ディスクＤの外周縁部のみが載置保持される様にトレイＴの平面形状を略コの字としたものであってもよい。
【００２４】
ケース１２は合成樹脂により箱形状に形成されている。ケース１２の図示Ｙ１側にトレイを出し入れするための開口部１２ａが形成され、この開口部１２ａと対向する奥部側（Ｙ２側）は壁部で閉鎖されている。前記奥部側の壁部の内面が内壁１２ｂである。前記ケース１２のＸ１およびＸ２側に位置する両側部の内壁１２Ａ，１２Ｂには、棚状の支持案内部（図示せず）が高さ方向（紙面と直交する方向）に一定のピッチで並設されており、ケース１２に挿入されたトレイＴの両側の支持部Ｔ４，Ｔ５は、前記支持案内部にＹ方向へ摺動自在に支持されている。
【００２５】
図１は、トレイＴをディスク載置部Ｔ３と逆の底面から見た状態で示している。図１にはケース１２の天井部１１Ａが破線で現れており、その開口部１２ａの縁部が符号１１ａで示されている。図１に示すように、前記トレイＴには、前記ディスク載置部Ｔ３を囲む半円形の段差部Ｔ２が設けられており、ディスクＤは、その周縁部が前記段差部Ｔ２に当たった状態で位置決めされる。そして、ディスクＤのＸ１とＸ２方向に向く縁部が、前記ディスク載置部Ｔ３に形成された溝に支持される。
【００２６】
前記トレイＴは合成樹脂材料で形成されており、４箇所に弾性変形可能な抜け止め部２４が一体に形成されている。前記ディスク載置部Ｔ３に設置されたディスクＤの外周縁に、前記４箇所の抜け止め部２４が弾圧されることにより、個々のディスクＤがトレイＴから容易に抜け出さないように設置される。
【００２７】
また、前記トレイＴの前縁部Ｔ１はケース１２内に入り込む凹形状であり、前記ディスク載置部Ｔ３に設置されたディスクＤの中心穴Ｄ１が、前記前縁部Ｔ１の凹形状内に現れている。
【００２８】
個々のトレイＴのＹ１方向の縁部で且つＸ２側に位置する側部には、フック形状の引出し部２５が形成されている。このディスク収納マガジン１１がディスク装置内に装填されると、選択されたトレイＴの前記引出し部２５がトレイ移送機構に掛止される。このトレイ移送機構によって、前記引出し部２５に引出し力が作用して、選択されたトレイＴがケース１２の開口部１２ａから引き出され、トレイＴに設置されたディスクＤの中心穴Ｄ１が、ディスク装置内のターンテーブルにクランプされる。
【００２９】
ディスクＤがクランプされると、前記トレイ移送機構によって、トレイＴのみがケース１２内の基の位置に戻され、ターンテーブルにクランプされたディスクＤは、前記トレイＴと離れた状態で回転させられる。そして、ディスクＤの駆動が完了すると、再びトレイＴが引き出され、引き出されたトレイＴにディスクＤが載置された状態で、ディスクＤのクランプが解除され、トレイＴとディスクＤとがケース１２内の基の位置へ戻される。
【００３０】
ディスク収納マガジン１１内のディスクＤの中心を通って、トレイＴの挿入方向に延びる中心線をＯ−Ｏとしたときに、前記引出し部２５は、前記中心線Ｏ−Ｏから離れたＸ２側の側部に設けられている。またケース１２の前記内壁１２ｂでは、前記中心線Ｏ−Ｏに対して前記引出し部２５と同じ側（Ｘ２側）の側部に弾性保持部材１５が設けられている。
【００３１】
前記弾性保持部材１５は、金属の板ばね材によりＣ字形状に折り曲げられた対をなす弾性腕１５ａ，１５ａを複数有している。前記弾性保持部材１５は、前記内壁１２ｂに対面する基部１５ｃが平面形状で、この部分が前記内壁１２ｂに固定されている。そして、対を成す複数組の弾性腕１５ａ，１５ａが、前記基部１５ｃからＹ１方向へ向けて一体に突出形成されている。前記対を成す弾性腕１５ａ，１５ａは、ケース１２内に挿入されるトレイＴと同数組設けられており、それぞれの組の弾性腕１５ａ，１５ａが、ケース１２内に挿入される個々のトレイＴに対向して設けられている。
【００３２】
前記一対の弾性腕１５ａ，１５ａの先端部には、円弧状に形成された付勢部１５ｂ，１５ｂが形成されており、付勢部１５ｂ，１５ｂは、互いに対向する方向へ凸形状である。
【００３３】
前記ケース１２内には、前記中心線Ｏ−Ｏを挟んで、前記弾性保持部材１５および引出し部２５と逆の側（Ｘ１側）に規制部２０が設けられている。この規制部２０は、ケース１２の天井部１１Ａと一体に形成されたものであり、前記規制部２０の先端はケース１２の底板（図示せず）にネジ止め、あるいは底板と一体に合成樹脂で形成されている。
【００３４】
図１および図２に示すように、個々のトレイＴには、挿入方向（図示Ｙ２側）の先部で、前記弾性保持部材１５に対向する保持用の突部Ｔ６が一体に形成されている。
【００３５】
図２に示すように、前記突部Ｔ６は、Ｘ１−Ｘ２方向へ向けて対称形状であり、Ｘ１方向とＸ２方向へ向くそれぞれの頂点Ｔ６ａと頂点Ｔ６ａとが、トレイＴの出入り方向において同じ位置にある。そして、前記頂点Ｔ６ａ，Ｔ６ａの位置で、突部Ｔ６の横方向（Ｘ１−Ｘ２方向）の幅寸法が最大となっている。また、前記突部Ｔ６のＸ１側とＸ２側に向くそれぞれの首部変曲点Ｔ６ｂとＴ６ｂは、Ｙ１−Ｙ２方向において同じ位置であり、前記突部Ｔ６の幅寸法は、前記首部変曲点Ｔ６ｂ，Ｔ６ｂの位置で最小となっている。そして、前記突部Ｔ６の幅寸法は、前記首部変曲点Ｔ６ｂ，Ｔ６ｂから頂点Ｔ６ａ，Ｔ６ａへ向かう傾斜部Ｔ６ｃ，Ｔ６ｃにおいて徐々に大きくなり、前記頂点Ｔ６ａ，Ｔ６ａを超えると、今度はＹ２方向へ向けて幅寸法が徐々に小さくなる。
【００３６】
一方、図１および図３に示すように、トレイＴの挿入方向の先部で且つＸ１側には、Ｙ２方向へ突出する延長部Ｔ７が一体に設けられており、この延長部Ｔ７のＸ２側に向く縁部に、中心線Ｏ−Ｏに対して非平行に延びる緩衝突起Ｔ９が一体に突出形成されている。この緩衝突起Ｔ９は、その基部Ｔ８がトレイＴに一体に連結支持されており、先端部が自由端となってＹ１方向およびＹ２方向へ弾性的に曲げ変形自在である。
【００３７】
この緩衝突起Ｔ９は、合成樹脂製のトレイＴと一体に形成されることで、弾性変形自在であるが、この緩衝突起Ｔ９に金属の板ばね材がインサートされていてもよいし、あるいはトレイＴと別体に、金属の板ばね材や樹脂で緩衝突起Ｔ９が形成され、その基部Ｔ８がトレイＴに固定されていてもよい。
【００３８】
図１ないし図３に示すように、トレイＴがケース１２の開口部１２ａを通じて奥部方向に挿入され、当接位置Ｉに至ると、最初に突部Ｔ６の頭部が、弾性保持部材１５の弾性腕１５ａ，１５ａの付勢部１５ｂ，１５ｂに当接する。このとき前記緩衝突起Ｔ９は、規制部２０から離れている。
【００３９】
さらに、トレイＴが奥部方向に押されると、突部Ｔ６の両側部によって付勢部１５ｂ，１５ｂの対向間隔が押し広げられ、挿入位置ＩＩに至ると、付勢部１５ｂ，１５ｂが突部Ｔ６の頂点Ｔ６ａ，Ｔ６ａに達する。付勢部１５ｂ，１５ｂが頂点Ｔ６ａ，Ｔ６ａを超えて、傾斜部Ｔ６ｃ，Ｔ６ｃに弾圧されると、付勢部１５ｂ，１５ｂの弾圧力の分力がＹ２方向へ向けて作用し、これが引き込み力となって、トレイＴがケース１２内に自動的に引き込まれる。
【００４０】
そして、前記付勢部１５ｂ，１５ｂによって突部Ｔ６の首部変曲点Ｔ６ｂ，Ｔ６ｂを保持した時点で、トレイＴは最終の引き込み完了位置ＩＩＩへ移動する。このとき図１に示すように、トレイＴの先端縁Ｔ１０が、ケース１２の内壁１２ｂに当たる。図では、前記挿入位置ＩＩから引き込み完了位置ＩＩＩまでの、トレイＴの移動距離をＬ１で示している。
【００４１】
図３に示すように、前記トレイＴが挿入位置ＩＩよりもさらにＹ２方向へ移動した時点、すなわち前記挿入位置ＩＩと引き込み完了位置ＩＩＩの間に位置して、前記付勢部１５ｂ，１５ｂからトレイＴに引き込み力が作用しているときに、前記緩衝突起Ｔ９が規制部２０に当たる。そして、トレイＴがＹ２方向へ引き込まれるときに、緩衝突起Ｔ９が規制部２０により曲げ変形させられ、その変形量は、トレイＴがケース１２の奥側に向かうにしたがって徐々に大きくなる。
【００４２】
したがって、弾性保持部材１５の弾性力で、トレイＴが引き込まれるときに、前記緩衝突起Ｔ９がトレイＴに対して排出方向への反発力を与え、トレイＴが引き込み完了位置ＩＩＩに至ったときに、トレイＴとケース１２の内壁１２ｂとの衝突音を緩和できる。
【００４３】
前記のように、トレイＴが挿入位置ＩＩを超えて挿入され、弾性保持部材１５からトレイＴに引き込み方向の弾性力が作用し、トレイＴが自動的に引き込まれ始めた後に、緩衝突起Ｔ９からトレイＴに反発力が作用する。そのため、前記緩衝突起Ｔ９からの反発力がトレイＴに作用していても、その時点で、トレイＴは弾性保持部材１５によって自動的に引き込まれていることになり、前記緩衝突起Ｔ９が、トレイＴの引き込み動作に悪影響を与えることがない。
【００４４】
また、前記緩衝突起Ｔ９は曲げ変形するものであり、トレイＴがケース１２の内部に進むにしたがって、その曲げ変形量が大きくなるため、トレイＴが引き込み完了位置ＩＩＩに至る直前において、緩衝突起Ｔ９からトレイＴに与えられる反発力が最大になる。これにより、弾性保持部材１５によるトレイの引き込み動作開始時に、緩衝突起Ｔ９が大きな抵抗力を与えず、トレイＴがケース１２の内部に衝突する直前に緩衝突起Ｔ９の反発力が大きくなり、衝突音を低減させる効果を高くできる。
【００４５】
さらに、図１に示すように、弾性保持部材１５による保持部（突部Ｔ６）が中心線Ｏ−Ｏを挟んで一方の側に位置し、緩衝突起Ｔ９による反発力の作用部が、前記中心線Ｏ−Ｏを挟んで他方の側に位置している。よって、トレイＴがケース１２内に収納されている状態で、前記緩衝突起Ｔ９からトレイＴに対しＹ１方向への反発力が作用し続けている。一方トレイＴは弾性保持部材１５で保持されているため、トレイＴは前記保持部を支点として、前記反発力による時計方向のモーメントＭが作用している。ケース１２内においてトレイＴは、支持部Ｔ５が内壁１２Ｂに常に押し付けられた状態となり、ケース１２内でのトレイＴのがたつきを防止できる。よってこのディスク収納マガジン１１がディスク装置に装填されている状態で、車体振動などによって、ケース１２内でのトレイＴのがたつき音の発生を抑制できる。
【００４６】
また、ディスク装置内のトレイ移送機構で引出し部２５を保持してトレイＴを引き抜くときに、引出し部２５が弾性保持部材１５と同じ側に位置しているため、突部Ｔ６を弾性保持部材１５から抜き出しやすくなる。
【００４７】
なお、上記実施の形態では、ケース１２側に規制部２０を設け、トレイＴ側に緩衝突起Ｔ９を設けているが、その反対にケース１２側に緩衝突起を設け、トレイＴ側に前記緩衝突起に当接する規制部を設けた構成であってもよい。
【００４８】
また緩衝突起や規制部の形状も適宜選択可能である。
【００４９】
【発明の効果】
以上のように本発明では、トレイがケースに引き込まれるときの引き込み力を緩和する機構を簡単な構成で実現可能であり、引き込み衝突音の小さいディスク収納マガジンを低コストで製造できる。
【図面の簡単な説明】
【図１】本発明の実施の形態のディスク収納マガジンを底面側から示す断面図、
【図２】弾性保持部材と突部を示す一部拡大断面図、
【図３】緩衝突起と規制部を示す一部拡大断面図、
【図４】従来のディスク収納マガジンの構造を示す断面図、
【符号の説明】
１１  ディスク収納マガジン
１２  ケース
１５  弾性保持部材
１５ａ  弾性腕
１５ｂ  付勢部
２０  規制部
Ｔ  トレイ
Ｔ４，Ｔ５  支持部
Ｔ６  突部
Ｔ６ａ  頂点
Ｔ６ｂ  首部変曲点
Ｔ６ｃ  傾斜部
Ｔ９  緩衝突起
Ｌ１  引込み移動量
Ｉ  当接位置
ＩＩ  挿入位置
ＩＩＩ  引き込み完了位置
【図１】
0003992535.tif 000002
【図２】
0003992535.tif 000003
【図３】
0003992535.tif 000004
【図４】
0003992535.tif 000005